(57)【要約】【課題】ユーザが利用しているシステムのリソースの使用状況に関する情報を自動的に収集し得る、クラウド管理装置、クラウド管理システム、クラウド管理方法、及びプログラムを提供する。【解決手段】クラウド管理装置２０は、クラウドサービスを提供するクラウドシステム３０から、クラウドシステム３０のリソースの使用状況に関するリソース情報を収集する、リソース情報取得部２１と、取得したリソース情報に基づいて、クラウドシステム３０それぞれのリソースの状況を表示するための画面データを作成する、リソース情報解析部２２とを備えている。【選択図】図１
2014081925.tif 000002
【特許請求の範囲】
【請求項１】
クラウドサービスを提供するシステムから、前記システムのリソースの使用状況に関するリソース情報を取得する、リソース情報取得部と、
取得した前記リソース情報に基づいて、前記システムのリソースの状況を表示するための、画面データを作成する、リソース情報解析部と、
を備えていることを特徴とするクラウド管理装置。
【請求項２】
前記システムに、前記リソース情報を収集するリソース情報収集装置が設置されており、
前記リソース情報取得部が、前記情報収集装置から前記リソース情報を取得する、
請求項１に記載のクラウド管理装置。
【請求項３】
前記リソース情報収集装置が、前記システムのオペ−レーティングシステムに常駐するプログラムによって、構築されている、
請求項２に記載のクラウド管理装置。
【請求項４】
前記システムが、外部からの指示に応じて、前記システムの前記リソース情報を出力する機能を有している場合に、
前記リソース情報取得部が、前記システムの前記機能を利用して、前記リソース情報を取得する、請求項１〜３のいずれかに記載のクラウド管理装置。
【請求項５】
当該クラウド管理装置に接続された端末装置に前記画面データを送信し、前記端末装置の表示画面上に、前記システムのリソースの状況を表示させる、画面データ送信部を更に備えている、
請求項１〜４のいずれかに記載のクラウド管理装置。
【請求項６】
前記リソース情報解析部が、取得した前記リソース情報を解析し、解析の結果、前記システムのリソースの使用状況が設定条件に合致する場合に、合致した設定条件も表示されるように、前記画面データを作成する、請求項１〜５のいずれかに記載のクラウド管理装置。
【請求項７】
クラウドサービスを提供するシステムに設置され、且つ、前記システムから、前記システムのリソースの使用状況に関するリソース情報を収集する、リソース情報収集装置と、
前記リソース情報収集装置それぞれから前記リソース情報を取得し、取得した前記リソース情報に基づいて、前記システムのリソースの状況を表示するための、画面データを作成する、クラウド管理装置と、
を備えていることを特徴とするクラウド管理システム。
【請求項８】
前記リソース情報収集装置が、前記システムのオペ−レーティングシステムに常駐するプログラムによって、構築されている、
請求項７に記載のクラウド管理システム。
【請求項９】
前記クラウド管理装置が、当該クラウド管理装置に接続された端末装置に前記画面データを送信し、前記端末装置の表示画面上に、前記システムそれぞれのリソースの状況を表示させる、請求項７または８に記載のクラウド管理システム。
【請求項１０】
前記クラウド管理装置が、取得した前記リソース情報を解析し、解析の結果、前記システムのリソースの使用状況が設定条件に合致する場合に、合致した設定条件も表示されるように、前記画面データを作成する、請求項７〜９のいずれかに記載のクラウド管理システム。
【請求項１１】
（ａ）クラウドサービスを提供するシステムから、前記システムのリソースの使用状況に関するリソース情報を取得する、ステップと、
（ｂ）前記（ａ）のステップで取得した前記リソース情報に基づいて、前記システムそれぞれのリソースの状況を表示するための、画面データを作成する、ステップと、
を有することを特徴とするクラウド管理方法。
【請求項１２】
前記システムに、前記リソース情報を収集するリソース情報収集装置が設置されており、
前記（ａ）のステップにおいて、前記リソース情報収集装置から前記リソース情報を取得する、請求項１１に記載のクラウド管理方法。
【請求項１３】
前記リソース情報収集装置が、前記システムのオペ−レーティングシステムに常駐するプログラムによって、構築されている、
請求項１２に記載のクラウド管理方法。
【請求項１４】
前記システムが、外部からの指示に応じて、前記システムの前記リソース情報を出力する機能を有している場合に、
前記（ａ）のステップにおいて、前記システムの前記機能を利用して、前記リソース情報を取得する、請求項１１〜１３のいずれかに記載のクラウド管理方法。
【請求項１５】
（ｃ）端末装置に前記画面データを送信し、前記端末装置の表示画面上に、前記システムのリソースの状況を表示させる、ステップを更に有している、
請求項１１〜１４のいずれかに記載のクラウド管理方法。
【請求項１６】
前記（ｂ）のステップにおいて、前記（ａ）のステップで取得した前記リソース情報を解析し、解析の結果、前記システムのリソースの使用状況が設定条件に合致する場合に、合致した設定条件も表示されるように、前記画面データを作成する、請求項１１〜１５のいずれかに記載のクラウド管理方法。
【請求項１７】
コンピュータに、
（ａ）クラウドサービスを提供するシステムから、前記システムのリソースの使用状況に関するリソース情報を取得する、ステップと、
（ｂ）前記（ａ）のステップで取得した前記リソース情報に基づいて、前記システムそれぞれのリソースの状況を表示するための、画面データを作成する、ステップと、
を実行させるプログラム。
【請求項１８】
前記システムに、前記リソース情報を収集するリソース情報収集装置が設置されており、
前記（ａ）のステップにおいて、前記リソース情報収集装置から前記リソース情報を取得する、請求項１７に記載のプログラム。
【請求項１９】
前記リソース情報収集装置が、前記システムのオペ−レーティングシステムに常駐するプログラムによって、構築されている、
請求項１８に記載のプログラム。
【請求項２０】
前記システムが、外部からの指示に応じて、前記システムの前記リソース情報を出力する機能を有している場合に、
前記（ａ）のステップにおいて、前記システムの前記機能を利用して、前記リソース情報を取得する、請求項１７〜１９のいずれかに記載のプログラム。
【請求項２１】
（ｃ）端末装置に前記画面データを送信し、前記端末装置の表示画面上に、前記システムそれぞれのリソースの状況を表示させる、ステップを更に前記コンピュータに実行させる、
請求項１７〜２０のいずれかに記載のプログラム。
【請求項２２】
前記（ｂ）のステップにおいて、前記（ａ）のステップで取得した前記リソース情報を解析し、解析の結果、前記システムのリソースの使用状況が設定条件に合致する場合に、合致した設定条件も表示されるように、前記画面データを作成する、請求項１７〜２１のいずれかに記載のプログラム。
【発明の詳細な説明】
【技術分野】
【０００１】
本発明は、各クラウドシステムからリソース状況に関する情報を収集するための、クラウド管理装置、クラウド管理システム、クラウド管理方法、及びこれらを実現するためのプログラムに関する。
【背景技術】
【０００２】
近年、「クラウドサービス」とよばれるＡＳＰ（Application Service Provider）サービスが提供されている。クラウドサービスによれば、ユーザは、設備投資を行なうこと無く、インターネッド等のネットワークを介して、必要なサービスを利用することができるため、企業等では、クラウドサービスの利用が増加している。
【０００３】
また、このようなクラウドサービスを提供するシステムでは、安定したサービスをユーザに提供するため、リソース状況が監視され、障害が発生する前にその要因の除去が行なわれている。特に、特許文献１に開示されたシステムでは、状況の監視に加え、システムを構成するサーバの中から、将来最も負荷が高くなるサーバの予測も行なわれており、より安定したサービスの提供が実現されている。
【０００４】
また、クラウドサービスを提供するシステムでは、ユーザに対して、ユーザが契約しているリソースの状況を開示するサービスも行なっており、ユーザは、常に、契約しているリソースの状況を確認できる。このため、ユーザは、複数のシステムとの間で利用契約を結んでいる場合は、システム毎にリソースの状況を確認し、確認結果に応じて、最適なシステムを選択することができる。
【先行技術文献】
【特許文献】
【０００５】
【特許文献１】特開２０１２−１１３５５６号公報
【発明の概要】
【発明が解決しようとする課題】
【０００６】
しかしながら、契約しているシステム全てのリソース状況を確認するためには、ユーザ側の管理者は、契約しているシステム毎に、開示されている情報を収集する必要がある。このため、ユーザにおいて、各システムのリソース状況を確認することは、大きな負担になっている。
【０００７】
本発明の目的の一例は、上記問題を解消し、ユーザが利用しているシステムのリソースの使用状況に関する情報を自動的に収集し得る、クラウド管理装置、クラウド管理システム、クラウド管理方法、及びプログラムを提供することにある。
【課題を解決するための手段】
【０００８】
上記目的を達成するため、本発明の一側面におけるクラウド管理装置は、
クラウドサービスを提供するシステムから、前記システムのリソースの使用状況に関するリソース情報を取得する、リソース情報取得部と、
取得した前記リソース情報に基づいて、前記システムのリソースの状況を表示するための、画面データを作成する、リソース情報解析部と、
を備えていることを特徴とする。
【０００９】
上記目的を達成するため、本発明の一側面におけるクラウド管理システムは、
クラウドサービスを提供するシステムに設置され、且つ、前記システムから、前記システムのリソースの使用状況に関するリソース情報を収集する、リソース情報収集装置と、
前記リソース情報収集装置それぞれから前記リソース情報を取得し、取得した前記リソース情報に基づいて、前記システムのリソースの状況を表示するための、画面データを作成する、クラウド管理装置と、
を備えていることを特徴とする。
【００１０】
また、上記目的を達成するため、本発明の一側面におけるクラウド管理方法は、
（ａ）クラウドサービスを提供するシステムから、前記システムのリソースの使用状況に関するリソース情報を取得する、ステップと、
（ｂ）前記（ａ）のステップで取得した前記リソース情報に基づいて、前記システムそれぞれのリソースの状況を表示するための、画面データを作成する、ステップと、
を有することを特徴とする。
【００１１】
更に、上記目的を達成するため、本発明の一側面におけるプログラムは、
コンピュータに、
（ａ）クラウドサービスを提供するシステムから、前記システムのリソースの使用状況に関するリソース情報を取得する、ステップと、
（ｂ）前記（ａ）のステップで取得した前記リソース情報に基づいて、前記システムそれぞれのリソースの状況を表示するための、画面データを作成する、ステップと、
を実行させることを特徴とする。
【発明の効果】
【００１２】
以上のように、本発明によれば、ユーザが利用しているシステムのリソースの使用状況に関する情報を自動的に収集することができる。
【図面の簡単な説明】
【００１３】
【図１】図１は、本発明の実施の形態１におけるクラウド管理装置の概略構成を示すブロック図である。
【図２】図２は、本発明の実施の形態１におけるクラウド管理システム及びクラウド管理装置の構成を具体的に示すブロック図である。
【図３】図３は、本発明の実施の形態１において管理対象となるクラウドシステムの構成を示す図である。
【図４】図４は、本発明の実施の形態１におけるクラウド管理装置の動作を示すフロー図である。
【図５】図５は、本発明の実施の形態１において端末装置が表示する管理ウィンドウの一例を示す図である。
【図６】図６は、本発明の実施の形態２におけるクラウド管理装置の構成を具体的に示すブロック図である。
【図７】図７は、本発明の実施の形態２におけるクラウド管理装置の動作を示すフロー図である。
【図８】図８は、本発明の実施の形態１及び２におけるクラウド管理装置を実現するコンピュータの一例を示すブロック図である。
【発明を実施するための形態】
【００１４】
（実施の形態１）
以下、本発明の実施の形態１における、クラウド管理装置、クラウド管理システム、クラウド管理方法、及びプログラムについて、図１〜図５を参照しながら説明する。
【００１５】
［装置構成］
最初に、本実施の形態１におけるクラウド管理装置の概略構成を、図１を用いて説明する。図１は、本発明の実施の形態１におけるクラウド管理装置の概略構成を示すブロック図である。
【００１６】
図１に示すように、クラウド管理装置２０は、リソース情報取得部２１と、リソース情報解析部２２とを備えている。このうち、リソース情報取得部２１は、クラウドサービスを提供するシステム（以下「クラウドシステム」と表記する。）３０ａ〜３０ｃから、リソースの使用状況に関するリソース情報を取得する。
【００１７】
リソース情報としては、各クラウドシステムにおける、記憶装置の空き容量、ＣＰＵ（Central Processing Unit）使用率、障害の発生状況等が挙げられる。なお、図１の例では、複数のクラウドシステム３０ａ〜３０ｃが示されているが、管理対象となるクラウドシステムの数は限定されず、１つであっても良い。また、以下において、不特定のクラウドシステムを示す場合は「クラウドシステム３０」と表記する。
【００１８】
また、リソース情報解析部２２は、リソース情報取得部２２によって取得されたリソース情報に基づいて、クラウドシステム３０のリソースの状況を表示するための画面データを作成する。なお、後述するように、本実施の形態１では、この画面データは端末装置４０へと送信され、その表示画面上にリソースの状況が表示される。
【００１９】
このように、クラウド管理装置２０は、ユーザが利用しているクラウドシステム３０のリソースの使用状況に関するリソース情報を自動的に収集することができる。このため、ユーザは、契約しているクラウドシステム３０のリソース状況を簡単に確認することができる。
【００２０】
ここで、図２及び図３を用いて本実施の形態１におけるクラウド管理装置及びクラウド管理システムの構成を更に具体的に説明する。図２は、本発明の実施の形態１におけるクラウド管理システム及びクラウド管理装置の構成を具体的に示すブロック図である。図３は、本発明の実施の形態１において管理対象となるクラウドシステムの構成を示す図である。
【００２１】
図２に示すように、本実施の形態１においては、クラウド管理装置２０は、クラウドシステム３０に設置されたリソース情報収集装置１０と共に、クラウド管理システム１００を構築している。リソース情報収集装置１０は、それが設置されているクラウドシステム３０から、リソース情報を収集する。
【００２２】
また、図２に示すように、本実施の形態１では、クラウド管理装置２０の管理対象となるクラウドシステム３０は複数存在しており、クラウド管理装置２０は、複数のクラウドシステム３０ａ〜３０ｃを一括して管理している。また、リソース情報収集装置１０は、クラウドシステム３０毎に設置され、対応するクラウドシステム３０から、リソース情報を収集する。なお、リソース情報取得部２１によるリソース情報の収集は、クラウドシステム３０を利用するユーザが契約している範囲内で行なわれる。
【００２３】
また、本実施の形態１では、リソース情報収集装置１０は、対応するクラウドシステム３０のオペ−レーティングシステム（OS: Operating System）３１に常駐するプログラムによって、構築されている。図３においては、リソース情報収集装置１０は、「リソース情報収集プログラム１０」と表示されている。
【００２４】
また、図３において、ＯＳ３１は仮想ＯＳであり、ユーザには契約に応じて仮想ＯＳが割り当てられる。更に、ユーザは、割り当てられた仮想ＯＳ上に、自己が使用する業務用アプリケーションプログラム３２を導入することができる。リソース情報収集プログラム１０は、それが常駐する仮想ＯＳを提供しているリソースについて、リソース情報を収集する。
【００２５】
また、本実施の形態１では、図２に示すように、クラウド管理装置２０は、更に、画面データ送信部２３を備えている。画面データ送信部２３は、クラウド管理装置２０に接続された端末装置４０に、作成された画面データを送信し、端末装置４０の表示画面４３上に、各クラウドシステム３０のリソースの状況を表示させる。なお、図２において、４２は、端末装置４０に接続された表示装置である。
【００２６】
具体的には、画面データ送信部２３は、Ｗｅｂサーバとして機能し、端末装置４０に導入されているＷｅｂブラウザ４１を介して、画面データを送信する。つまり、ユーザが、端末装置４０のＷｅｂブラウザ４１上で操作を行なうと、これに応じて、Ｗｅｂブラウザ４１からＨＴＴＰリクエストが送信される。そして、画面データ送信部２３は、送信されてきたＨＴＴＰリクエストに対するＨＴＴＰレスポンスとして、画面データを送信する。この結果、Ｗｅｂブラウザ４１を介して、表示画面４３上には、ユーザが契約している各クラウドシステム３０のリソースの状況を示すウィンドウ（以下「管理ウィンドウ」と表記する。）が表示される（後述の図４参照）。
【００２７】
また、本実施の形態１では、リソース情報解析部２２は、リソース情報を解析し、解析の結果、いずれかのクラウドシステム３０のリソースの使用状況が設定条件に合致する場合は、合致した設定条件も表示されるように、画面データを作成することもできる。
【００２８】
具体的には、設定条件としては、記憶装置の空き容量の下限値への到達、ＣＰＵ使用率の上限値への到達、障害の発生、等が挙げられる。リソース情報解析部２２は、例えば、リソースの使用状況が設定条件に合致することを示すメッセージが含まれた画面データを作成する。
【００２９】
［装置動作］
次に、本実施の形態１におけるクラウド管理システム１００及びクラウド管理装置２０の動作について図４を用いて説明する。図４は、本発明の実施の形態１におけるクラウド管理装置の動作を示すフロー図である。以下の説明においては、適宜図２及び図３を参酌する。また、本実施の形態１では、クラウド管理装置２０を動作させることによって、クラウド管理方法が実施される。よって、本実施の形態１におけるクラウド管理方法の説明は、以下のクラウド管理装置２０の動作説明に代える。
【００３０】
まず、前提として、各クラウドシステム３０ａ〜３０ｃにおいて、各リソース情報収集プログラム１０が、それが常駐する仮想ＯＳ３１を提供しているリソースについて、リソース情報を収集する。そして、各リソース情報収集プログラム１０は、収集したリソース情報を、クラウド管理装置２０に向けて送信する。
【００３１】
図３に示すように、最初に、クラウド管理装置２０において、リソース情報取得部２１が、各リソース情報収集プログラム１０から送信されてきたリソース情報を取得する（ステップＡ１）。そして、リソース情報取得部２１は、取得した各リソース情報をリソース情報解析部２２に入力する。
【００３２】
次に、リソース情報解析部２２は、各リソース情報の解析を実行する（ステップＡ２）。具体的には、リソース情報解析部２２は、いずれかのクラウドシステム３０のリソースの使用状況が設定条件に合致しているかどうかを判定し、リソースの使用状況が設定条件に合致しているクラウドシステム３０を特定する。
【００３３】
続いて、リソース情報解析部２２は、リソース情報に基づいて、各クラウドシステム３０のリソースの状況を表示するための画面データを作成する（ステップＡ３）。また、このとき、ステップＡ２において、設定条件に合致したクラウドシステム３０が特定されている場合は、リソース情報解析部２２は、合致した設定条件と、特定されたクラウドシステム３０とが表示されるように、画面データを作成する。後述する図５の例では、合致した設定条件と、特定されたクラウドシステム３０とは、アラート情報として表示される。
【００３４】
次に、ステップＡ３実行されると、画面データ送信部２３は、端末装置４０からの画面表示の要求の受け付けを開始し、端末装置４０によって画面表示の要求が行なわれたかどうかを判定する（ステップＡ４）。具体的には、画面データ送信部２３は、端末装置４０のＷｅｂブラウザ４１から、ＨＴＴＰリクエストが送信されているかどうかを判定する。
【００３５】
ステップＡ４の判定の結果、端末装置４０によって画面表示の要求が行なわれていない場合は、画面データ送信部２３は、そのことをリソース情報取得部２１に通知する。この通知を受けると、リソース情報取得部２１は、新たなリソース情報が送信されてきていないかどうかを判定する（ステップＡ６）。
【００３６】
そして、ステップＡ６の判定の結果、新たなリソース情報が送信されている場合は、リソース情報取得部２１は、再度ステップＡ１を実行し、そうでない場合は、リソース情報取得部２１は、その旨を画面データ送信部２３に通知する。画面データ送信部２３は、通知を受けると、再度ステップＡ４を実行する。
【００３７】
一方、ステップＡ４の判定の結果、端末装置４０によって画面表示の要求が行なわれている場合は、画面データ送信部２３は、要求のあった端末装置４０に、ステップＡ３で作成された画面データを送信し、表示画面４２上に、リソースの状況を表示させる（ステップＡ５）。
【００３８】
具体的には、ステップＡ５では、画面データ送信部２３は、端末装置４０に導入されているＷｅｂブラウザ４１に対して、ＨＴＴＰレスポンスとして、画面データを送信する。これにより、表示装置４２の表示画面４３には、各クラウドシステム３０のリソースの状況を示す管理ウィンドウが表示される。なお、ステップＡ５の実行により、クラウド管理装置２０における一連の処理は終了するが、ステップＡ１〜Ａ６は、一定時間毎に繰り返し実行される。
【００３９】
ここで、端末装置４０の表示画面４３に表示される管理ウィンドウについて図５を用いて説明する。図５は、本発明の実施の形態１において端末装置が表示する管理ウィンドウの一例を示す図である。
【００４０】
図５に示す管理ウィンドウ５０では、ユーザが、リストボックス５５によって、リソース状況を知りたいクラウドシステム３０を選択すると、選択されたクラウドシステム３０について、記憶装置の状態を示すグラフ５２と、ＣＰＵ使用率を示すグラフ５３とが表示される。また、ステップＡ２で特定された設定条件及びクラウドシステム３０は、アラート情報５４として、一覧表示される。なお、図５において、５１は、ユーザ情報を示した領域である。
【００４１】
以上のように本実施の形態１によれば、ユーザが利用しているクラウドシステム３０のリソースの使用状況に関する情報は、ユーザによる労力を伴うことなく、自動的に収集される。そして、各クラウドシステム３０のリソース状況は、ユーザが注意するべきアラート情報５４と共に、一つの画面上で表示される。このため、ユーザは、自己が利用するクラウドシステム３０の使用状況を簡単に確認することができる。また、これにより、ユーザは、クラウドシステム３０と連携させる自己のシステムの運用を円滑に図ることができる。
【００４２】
［プログラム］
本実施の形態１におけるプログラムは、コンピュータに、図４に示すステップＡ１〜Ａ６を実行させるプログラムであれば良い。このプログラムをコンピュータにインストールし、実行することによって、本実施の形態１におけるクラウド管理装置２０とクラウド管理方法とを実現することができる。この場合、コンピュータのＣＰＵは、リソース情報取得部２１、リソース情報解析部２２、及び画面データ送信部２３として機能し、処理を行なう。
【００４３】
（実施の形態２）
次に、本発明の実施の形態２における、クラウド管理装置、クラウド管理システム、クラウド管理方法、及びプログラムについて、図６及び図７を参照しながら説明する。
【００４４】
［装置構成］
最初に、本実施の形態２におけるクラウド管理装置の構成を、図６を用いて説明する。図６は、本発明の実施の形態２におけるクラウド管理装置の構成を具体的に示すブロック図である。
【００４５】
図６に示すように、本実施の形態２におけるクラウド管理装置６０も、実施の形態１におけるクラウド管理装置２０と同様に、複数のクラウドシステム３０ａ〜３０ｃに接続され、これらを一括して管理している。
【００４６】
但し、本実施の形態２においては、クラウドシステム３０ａ及び３０ｂは、外部からの指示に応じて、そのリソース情報を出力する機能を有しており、リソース情報取得部６１は、このクラウドシステム３０の機能を利用して、リソース情報を取得することもできる。本実施の形態２におけるクラウド管理装置６０は、リソース情報取得部６１の機能の点で、実施の形態１におけるクラウド管理装置２０と相違している。
【００４７】
具体的には、本実施の形態２では、クラウドシステムのうち、クラウドシステム３０ａ及び３０ｂは、ユーザに対して、ユーザからの指示に応じてリソース情報の収集を実行する管理ＡＰＩ（Application Program Interface）３３を提供している。このため、リソース情報取得部６１は、実施の形態１と異なり、クラウドシステム３０ａ及び３０ｂについては、その管理ＡＰＩ３３に対して、リソース情報の収集を要求し、管理ＡＰＩ３３を経由して、リソース情報を取得することができる。
【００４８】
また、クラウドシステムのうち、クラウドシステム３０ｃは管理ＡＰＩ３３を提供していないため、リソース情報取得部６１は、クラウドシステム３０ｃについては、リソース情報収集装置１０から送信されてくるリソース情報を取得する。また、クラウド管理装置６０は、クラウドシステム３０ｃに設置されたリソース情報収集装置１０と共に、クラウド管理システム１０１を構築している。
【００４９】
このように、リソース情報取得部６１は、図１及び図２に示した実施の形態１のリソース情報取得部２１の機能に加えて、管理ＡＰＩ３３からリソース情報を取得する機能（ＨＴＴＰクライアントとしての機能）を備えている。従って、実際には、リソース情報取得部６１は、リソー情報取得部２１を構築するプログラムモジュールと、管理ＡＰＩに対してＨＴＴＰリクエストを送信可能なプログラム（例えば、クローラ等）とで構築することができる。
【００５０】
なお、本実施の形態２では、リソース情報取得部６１は、管理ＡＰＩ３３からリソース情報を取得する機能のみを備えたものであっても良い。また、リソース情報解析部６２及び画面データ送信部６３は、それぞれ、図２に示したリソース情報解析部２２及び画面データ送信部２３と同様のものである。
【００５１】
［装置動作］
次に、本実施の形態２におけるクラウド管理装置６０の動作について図７を用いて説明する。図７は、本発明の実施の形態２におけるクラウド管理装置の動作を示すフロー図である。以下の説明においては、適宜図６を参酌する。また、本実施の形態２では、クラウド管理装置６０を動作させることによって、クラウド管理方法が実施される。よって、本実施の形態２におけるクラウド管理方法の説明は、以下のクラウド管理装置６０の動作説明に代える。
【００５２】
まず、前提として、本実施の形態２では、クラウドシステム３０ｃにおいて、リソース情報収集プログラム１０が、それが常駐する仮想ＯＳ３１を提供しているリソースについて、リソース情報を収集する。そして、リソース情報収集プログラム１０は、収集したリソース情報を、クラウド管理装置６０に向けて送信する。
【００５３】
そして、図７に示すように、クラウド管理装置２０において、リソース情報取得部６１は、クラウドシステム３０ａ及び３０ｂの管理ＡＰＩ３３に対して、ＨＴＴＰリクエストを送信して、リソース情報の収集を要求する（ステップＢ１）。
【００５４】
次に、リソース情報取得部６１は、クラウドシステム３０ａ及び３０ｂが管理ＡＰＩ３３を介して送信してきたリソース情報と、クラウドシステム３０ｃに設置されたリソース情報収集プログラム１０から送信されてきたリソース情報とを取得する（ステップＢ２）。そして、リソース情報取得部６１は、取得した各リソース情報をリソース情報解析部６２に入力する。
【００５５】
次に、リソース情報解析部６２は、各リソース情報の解析を実行する（ステップＢ３）。ステップＢ３は、図４に示したステップＡ２と同様のステップである。よって、本実施の形態２においても、リソース情報解析部６２は、いずれかのクラウドシステム３０のリソースの使用状況が設定条件に合致しているかどうかを判定し、リソースの使用状況が設定条件に合致しているクラウドシステム３０を特定する。
【００５６】
続いて、リソース情報解析部６２は、リソース情報に基づいて、各クラウドシステム３０のリソースの状況を表示するための画面データを作成する（ステップＢ４）。ステップＢ４は、図４に示したステップＡ３と同様のステップである。よって、ステップＢ４においても、ステップＢ３で、設定条件に合致したクラウドシステム３０が特定されている場合は、リソース情報解析部６２は、合致した設定条件と、特定されたクラウドシステム３０とが表示されるように、画面データを作成する。また、本実施の形態２においても、図５の例に示したように、合致した設定条件と、特定されたクラウドシステム３０とは、アラート情報として表示される。
【００５７】
次に、ステップＢ４が実行されると、画面データ送信部６３は、端末装置４０からの画面表示の要求の受け付けを開始し、端末装置４０によって画面表示の要求が行なわれたかどうかを判定する（ステップＢ５）。ステップＢ５は、図４に示したステップＡ４と同様のステップである。
【００５８】
ステップＢ５の判定の結果、端末装置４０によって画面表示の要求が行なわれていない場合は、再度、ステップＢ１以降が実行される。なお、ステップＢ１の実行は、一定時間の経過後に行なわれても良い。また、ステップＢ５の判定後から、ステップＢ２が再度実行されるまでの間に、リソース情報収集プログラム１０が、新たなリソース情報を送信している場合は、このステップＢ２において、この新たなリソース情報が取得される。
【００５９】
一方、ステップＢ５の判定の結果、端末装置４０によって画面表示の要求が行なわれている場合は、画面データ送信部６３は、要求のあった端末装置４０に、ステップＢ４で作成された画面データを送信し、表示画面４２上に、リソースの状況を表示させる（ステップＢ６）。ステップＢ６は、図４に示したステップＡ５と同様のステップである。
【００６０】
ステップＢ６の実行により、表示装置４２の表示画面４３には、各クラウドシステム３０のリソースの状況を示す管理ウィンドウが表示される。本実施の形態２においても、表示装置４２の表示画面４３には、実施の形態１において図５に示した管理ウィンドウ５０が表示される。更に、ステップＢ６の実行により、クラウド管理装置６０における一連の処理は終了するが、ステップＢ１〜Ｂ６は、一定時間毎に繰り返し実行される。
【００６１】
以上のように本実施の形態２においても、実施の形態１と同様に、ユーザが利用しているクラウドシステム３０のリソースの使用状況に関する情報は、ユーザによる労力を伴うことなく、自動的に収集される。そして、各クラウドシステム３０のリソース状況は、ユーザが注意するべきアラート情報５４と共に、一つの画面上で表示される。よって、実施の形態２を採用した場合であっても、実施の形態１と同様の効果を得ることができる。また、本実施の形態２では、管理対象となる全てのクラウドシステム３０に、リソース収集プログラム１０をインストールしなくても良いため、管理対象の数が増加した場合に有用である。
【００６２】
［プログラム］
本実施の形態２におけるプログラムは、コンピュータに、図７に示すステップＢ１〜Ｂ６を実行させるプログラムであれば良い。このプログラムをコンピュータにインストールし、実行することによって、本実施の形態２におけるクラウド管理装置６０とクラウド管理方法とを実現することができる。この場合、コンピュータのＣＰＵは、リソース情報取得部６１、リソース情報解析部６２、及び画面データ送信部６３として機能し、処理を行なう。
【００６３】
（コンピュータ）
ここで、本実施の形態１及び２におけるプログラムを実行することによって、実施の形態１または２におけるクラウド管理装置を実現するコンピュータについて図８を用いて説明する。図８は、本発明の実施の形態１及び２におけるクラウド管理装置を実現するコンピュータの一例を示すブロック図である。
【００６４】
図８に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００６５】
ＣＰＵ１１１は、記憶装置１１３に格納された、本実施の形態１におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。
【００６６】
また、本実施の形態１及び２におけるプログラムは、コンピュータ読み取り可能な記録媒体１２０に格納された状態で提供される。なお、本実施の形態１及び２におけるプログラムは、通信インターフェイス１１７を介して接続されたインターネット上で流通するものであっても良い。
【００６７】
また、記憶装置１１３の具体例としては、ハードディスクの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００６８】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータ、即ち、クラウドシステム３０及び端末装置４０との間のデータ伝送を仲介する。
【００６９】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【産業上の利用可能性】
【００７０】
以上のように、本発明によれば、ユーザが利用しているシステムのリソースの使用状況に関する情報を自動的に収集することができる。本発明は、ユーザが、自身のシステムと外部のクラウドシステムとを連携させて使用する場合に有用である。
【符号の説明】
【００７１】
１０  リソース情報収集装置  
２０  クラウド管理装置
２１  リソース情報取得部
２２  リソース情報解析部
２３  画面データ送信部
３０  クラウドシステム
３１  仮想ＯＳ
３２  業務用アプリケーションプログラム
４０  端末装置
４１  Ｗｅｂブラウザ
４２  表示装置
４３  表示画面
５０  管理ウィンドウ
５１  ユーザ情報が表示されている領域
５２  記憶装置の状態を示すグラフ
５３  ＣＰＵ使用率を示すグラフ
５４  アラート情報
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2014081925.tif 000003
【図２】
2014081925.tif 000004
【図３】
2014081925.tif 000005
【図４】
2014081925.tif 000006
【図５】
2014081925.tif 000007
【図６】
2014081925.tif 000008
【図７】
2014081925.tif 000009
【図８】
2014081925.tif 000010